(57)【特許請求の範囲】
【請求項１】
ラックやトレイのような受け部材上に着脱自在に装着される機器を、当該受け部材に対して取り外し可能に固定するための装置であって、
中間に鍔部を有し、この鍔部を境にして一端側にねじ部を有し、他端側にトルク伝達部を有し、前記受け部材の一部として形成され又は受け部材に取り付けられた支持部材にねじ部がほぼ水平に螺挿され、支持部材に対して締め付け位置と非締め付け位置との間で軸方向に進退自在のねじ棒と、
前記ねじ棒のトルク伝達部に、軸周り回転トルクを伝達可能に、かつ軸方向移動自在に外挿され、一端面に軸方向に向いた環状のラチェット係合部を有する回転グリップと、
一端が前記回転グリップに係止され、他端が前記ねじ棒に係止され、常時回転グリップをねじ棒の一端側へ付勢して、一端側を前記鍔部に当接させるばねと、
前記受け部材上の機器および前記支持部材の正面に対向する第1の面とその反対の第2の面と、前記支持部材に螺挿されたねじ棒に対して上位の固定位置と下位の解放位置との間で相対上下動自在にねじ棒を第1、第2の面間に挿通させる長孔と、第2の面上にあって固定位置において締め付け位置にある前記ねじ棒の鍔部に当接する押圧面と、ねじ棒が締め付け位置にあるときに前記回転グリップのラチェット係合部に弾性的に係合しねじ棒のねじ込み方向の相対回転を許容するがその反対方向の回転を阻止するように長孔の下端部付近の第2の面上に形成された対応ラチェット係合部とを備える押さえ部材とを具備し、
固定位置に配置された前記押さえ部材の第１の面を前記受け部材上の機器および前記支持部材の正面に当接させた状態で、押さえ部材の第2の面に前記ねじ棒の鍔を当接させると共に、押さえ部材のラチェット係合部を前記回転グリップのラチェット係合部に弾性的に係合させることにより、機器を受け部材上に保持し、
前記ねじ棒は、前記鍔部が前記回転グリップの一端側に当接した状態で、他端側が回転グリップの他端から延出する長さを有し、かつ他端側に半径方向外側に広がるストッパを具備し、
前記ねじ棒が締め付け位置にある時に、前記ストッパと前記回転グリップの他端との間に着脱自在に介在し、装着状態で施錠可能であり、装着時に前記ねじ棒に対する回転グリップの反付勢方向への移動を制限し、前記ラチェット係合部の係合を解除不可能とすることにより、ねじ棒の非締め付け位置への移動操作を不可能とするロック部材を具備することを特徴とする機器の固定装置。
【請求項２】
前記ロック部材は、前記ねじ棒が締め付け位置にある時に、前記ストッパと前記回転グリップの他端との間において、前記ばね４の外周から、ねじ棒２を包囲したり解放したりできるように、互いに開閉自在に枢着された一対の開閉片と、
これら一対の開閉片間の環を閉じた状態で開閉片を結合して施錠可能な錠とを具備することを特徴とする請求項１に記載の機器の固定装置。
【発明の詳細な説明】
【技術分野】
【０００１】
この発明は、車載のラックやトレイのような受け部材上に着脱自在に装着されるコンピュータのような電子機器等を、当該受け部材に対して振動により緩むことなく確実に固定するための装置に関する。
【背景技術】
【０００２】
自動車や航空機などにプラグイン式に着脱自在に搭載される電子機器をラックやトレイ上に固定するための装置として、特許文献１に記載されたものが知られている。この装置は、一端がラックに枢支されたねじ付きのスピンドルと、これに螺合されるスリーブと、このスリーブに制限付きで回転トルクを伝える回転グリップとを有する。スリーブと回転グリップとの間は、ディテント溝と、これに落ち込むボールと、付勢ばねとによって結合される。回転グリップをスリーブと一体に回転させることによってスリーブをフランジと共にスピンドル上で螺進させ、フランジによって電子機器をラックに押さえつけて固定する。フランジの押圧力が一定に達すると、回転グリップが空転してトルクを制限する。スリーブは、固定位置において、ばねで軸方向に常時押圧されているから、振動によってスピンドル上を後退することがなく、確実に電子機器をラック上に固定することができる。
【特許文献１】米国特許第4,506,439号公報
【発明の開示】
【発明が解決しようとする課題】
【０００３】
上記従来の固定装置は構造が複雑で高価である。緩み止め効果は、ディテント溝とボールの軸方向の係合とばね力のみによって得られるものであり、確実性に欠ける難点がある。
したがって、この出願に係る発明は、振動に対するより確実な緩み止め効果が得られ、しかも構造が簡素で、安価に得られる機器の固定装置を提供することを課題としている。
【課題を解決するための手段】
【０００４】
上記課題を解決するためのこの出願に係る発明は、ラックやトレイのような受け部材３１上に着脱自在に装着される機器３２を、当該受け部材３１に対して取り外し可能に固定するための装置である。この固定装置１は、ねじ棒２と、回転グリップ３と、ねじ棒２と回転グリップ３との間に介在するばね４と、押さえ部材５とを具備する。ねじ棒２は、中間に鍔部６を有し、この鍔部６を境にして一端側にねじ部７を有し、他端側にトルク伝達部８を有する。ねじ棒２のねじ部７は、受け部材３１の一部として形成され又は受け部材３１に取り付けられた支持部材３４にほぼ水平に螺挿され、ねじ棒２は、支持部材３４に対して締め付け位置と非締め付け位置との間で軸方向に進退自在である。回転グリップ３は、ねじ棒２のトルク伝達部８に、軸周り回転トルクを伝達可能に、かつ軸方向移動自在に外挿され、一端面に軸方向に向いた環状のラチェット係合部１１を有する。ばね４は、一端が回転グリップ３に係止され、他端がねじ棒２に係止され、常時回転グリップ３をねじ棒２の一端側へ付勢し、その一端側を鍔部６に当接させる。押さえ部材５は、受け部材３１上の機器３２および支持部材３４の正面に対向する第1の面１８とその反対の第2の面１９と、両面間を貫通する長孔２０と、第2の面１９上にあってねじ棒の鍔部６に当接する押圧面２１と、長孔２０の下端部付近の第2の面１９上に形成された対応ラチェット係合部２２とを備える。長孔２０は、押さえ部材５を、支持部材３４に螺挿されたねじ棒２に対して上位の固定位置と下位の解放位置との間で相対上下動自在に支持するように、ねじ棒２を挿通させる。押圧面２１は、押さえ部材５が固定位置にあって、ねじ棒２が締め付け位置にあるとき、ねじ棒の鍔部６に当接する。ラチェット係合部２２は、ねじ棒が締め付け位置にあるときに、回転グリップ３のラチェット係合部１１に弾性的に係合し、ねじ棒２のねじ込み方向の相対回転を許容するが、その反対方向の回転を阻止する。固定位置に配置された押さえ部材５の第１の面１８を受け部材３１上の機器３２および支持部材３４の正面に当接させた状態で、押さえ部材５の第2の面１９にねじ棒２の鍔部６を当接させると共に、押さえ部材５のラチェット係合部２２を回転グリップのラチェット係合部１１に弾性的に係合させることにより、機器３２を受け部材３１上に保持する。
また、上記構成を前提に、鍔部６が回転グリップ３の一端側に当接した状態で、他端側が回転グリップ３の他端から延出する長さにねじ棒２を構成し、かつ他端側に半径方向外側に広がるストッパ１０を具備させ、ストッパ１０と回転グリップ３との間にロック部材２３を着脱自在に介在させる構成とすることができる。ロック部材２３は、ねじ棒２が締め付け位置にある時に、ストッパ１０と回転グリップ３の他端との間に介在し、施錠可能とする。ロック部材２３の装着時に、ねじ棒２に対する回転グリップ３の反付勢方向への移動を制限し、ラチェット係合部１１，２２の係合を解除不可能とすることにより、ねじ棒２の非締め付け位置への移動操作を不可能とすることができる。以上、添付図面の符号を参照して説明したが、本発明はこれに限定されるものではない。
【発明の効果】
【０００５】
この出願に係る発明の装置によれば、振動に対するより確実な緩み止め効果が得られ、しかも構造が簡素で、安価に得られる機器の固定装置を提供することができる。
上記固定装置に、ロック部材を装着可能な構成にすれば、固定装置を施錠することができ、いっそう高度なセキュリティ効果が得られる。
【発明を実施するための最良の形態】
【０００６】
図面を参照してこの発明の実施の形態を説明する。図１は装着状態の固定装置の断面図、図２は図1におけるII−II断面図、図3は固定装置の分解斜視図、図４は装着前の固定装置の断面図、図５は固定解除操作過程の固定装置の断面図、図６は固定解除状態の固定装置の断面図、図７はロック部材の正面図で、(ａ)は閉鎖状態、(ｂ)は開放状態を示す。
【０００７】
図において、ラックやトレイのような受け部材３１上に、コンピュータのような電子機器３２が、プラグイン式に着脱自在に装着される。受け部材３１は、航空機や車両上のような振動が激しい環境に設けられる。受け部材３１の後部には、機器３２を後方から前方に向かって弾圧するリアリテーナ３３が設けられる。固定装置１は、機器３２を受け部材３１上の所定位置に装着した後、これを前方から押圧して受け部材３１に固定するためのものである。
【０００８】
固定装置１は、ねじ棒２と、回転グリップ３と、ねじ棒２と回転グリップ３との間に介在するばね４と、機器３２を押圧する押さえ部材５とを具備する。
【０００９】
ねじ棒２は、中間に鍔部６を有し、この鍔部６を境にして一端側にねじ部７を有し、他端側にトルク伝達部８を有する。ねじ部７は、受け部材３１の一部として形成され又は受け部材３１に別体で取り付けられた支持部材３４にほぼ水平に螺挿される。トルク伝達部８は、円柱体の一部に平面部９を形成してなる。ねじ棒２は、支持部材３４に所定位置までねじ込まれた締め付け位置（図1の位置）と支持部材３４から所定位置までねじ戻された非締め付け位置（図５の位置）との間で軸方向に進退自在である。ねじ棒２の他端には、半径方向外側に広がるストッパ１０が設けられる。
【００１０】
回転グリップ３は、ねじ棒２のトルク伝達部８に、軸周り回転トルクを伝達可能に、かつ軸方向移動自在に外挿され、一端面に軸方向に向いた環状のラチェット係合部１１を有する。回転グリップ３は、円筒部１２と、円筒部１２から半径方向外側へ突出した一対の翼部１３を具備する。円筒部１２の内側には、一端側付近に形成される内周フランジ１４を境に一端側に鍔受け部１５、他端側にばね受け部１６が設けられる。フランジ１４の内周孔１７は、ねじ棒２のトルク伝達部８を軸方向には相対移動自在に、相対回転は不可能に貫通させる断面形状である。
【００１１】
ばね4は、ばね受け部１６内のねじ棒２のトルク伝達部８の外周に挿入され、一端が回転グリップ３のフランジ１４に係止され、他端がねじ棒２のストッパ１０に係止される。このばね４により、回転グリップ３は、ねじ棒２の一端側へ軸方向に付勢され、その一端側のフランジ１４を鍔部６に当接させる。
【００１２】
押さえ部材５は、受け部材３１上の機器３２および支持部材３４の正面に対向する第1の面１８とその反対の第2の面１９と、両面間に貫通する上下方向の長孔２０と、第2の面１９上にあってねじ棒２の鍔部６に当接する押圧面２１と、長孔２０の下端部付近の第2の面１９上に突出するように環状に形成された対応ラチェット係合部２２とを備える。
【００１３】
長孔２０は、押さえ部材５を、支持部材３４に螺挿されたねじ棒２に対して上位の固定位置（図１）と、下位の解放位置（図６）との間で相対上下動自在に支持するようにねじ棒２を挿通させる。
【００１４】
押圧面２１は、押さえ部材５が固定位置にあって、ねじ棒２が締め付け位置にあるとき鍔部６に当接する。ラチェット係合部２２は、ねじ棒２が締め付け位置にあるときに、回転グリップ３のラチェット係合部１１に弾性的に係合し、ねじ棒２のねじ込み方向の相対回転を許容するが、その反対方向の回転を阻止する。
【００１５】
図１に示すように、固定位置に配置された押さえ部材５の第１の面１８を受け部材３１上の機器３２および支持部材３４の正面に当接させた状態で、押さえ部材５の第2の面１９にねじ棒２の鍔部６を当接させると共に、押さえ部材５のラチェット係合部２２を回転グリップ３のラチェット係合部１１に弾性的に係合させることにより、機器３２を受け部材３１上に保持する。
【００１６】
機器３２を保持した状態におけるねじ棒２のストッパ１０と回転グリップ３との間には、ロック部材２３を着脱自在に介在させることができる。ロック部材２３は、ばね４の外周から、ねじ棒２を包囲したり解放したりできるように、互いに開閉自在に枢着された一対の開閉片２４，２５からなる。一対の開閉片２４，２５間は、環を閉じた状態で錠２６(図１)で施錠可能である。したがって、ロック部材２３は、ストッパ１０と回転グリップ３との間に介在することで、ねじ棒２に対する回転グリップ３の反付勢方向への移動を制限し、ラチェット係合部１１，２２の係合を解除不可能とすることにより、ねじ棒の非締め付け位置へのねじ戻し操作を不可能とする。
【００１７】
この固定装置を使用する場合には、図３に示す状態から、機器３２を所定位置へ押し込んで設置した後、押さえ部材５を上位の固定位置に配置した状態で、回転グリップ３を掴んでねじ棒２を支持部材３４へねじ込んでいくと、ラチェット係合部１１，２２が相互に接触し始めるが、そのままねじ込み操作を継続すると、鍔部6が押さえ部材５の押圧面２１に圧接されてねじ棒２の回転が回転グリップ３と一体に停止する。この間、両係合部１１，２２は、回転グリップ３のねじ込み方向の回転を阻止することなく、ばね4を圧縮させつつ、ねじ棒２に対して回転グリップ３を他端側へ所定距離相対移動させる。したがって、図1に示すように、押さえ部材５がねじ棒２によって押さえられた状態で、回転グリップ３がばね4によって押さえ部材５へ弾性的に押しつけられ、ラチェット係合部１１，２２が相互に係合することになる。このため、回転グリップ３をばね力に抗して人為的にねじ棒2の他端側へ移動させない限り、ねじ棒2がねじ戻し方向へ回転することはなく、振動等の外力により緩むことがない。
【００１８】
この状態で、図1に示すように、ねじ棒２のストッパ１０と回転グリップ３との間にロック部材２３を装着して施錠すれば、解錠しない限り機器３２を取り外すことができなくなる。
【００１９】
機器３２を受け部材３１から取り外す場合には、ロック部材２３を外した状態で、回転グリップ３を握り、図５に示すように、ばね４を圧縮して、回転グリップ３をねじ棒４の他端側へ引くことにより、ラチェット係合部１１，２２を引き離しつつ、これをねじ棒と一体にねじ戻し方向へ回転させる。これにより、鍔部6が押さえ部材５の押圧面２１から離れると同時に、押さえ部材５が非固定位置へ下降するから、機器３２を受け部材３１上から引き出すことができる。
【図面の簡単な説明】
【００２０】
【図１】装着状態の固定装置の断面図である。
【図２】図1におけるII−II断面図である。
【図３】固定装置の分解斜視図である。
【図４】装着前の固定装置の断面図である。
【図５】固定解除操作過程の固定装置の断面図である。
【図６】固定解除状態の固定装置の断面図である。
【図７】ロック部材の正面図で、(ａ)は閉鎖状態、(ｂ)は開放状態を示す。
【符号の説明】
【００２１】
１    固定装置
２    ねじ棒
３    回転グリップ
４    ばね
５    押さえ部材
６    鍔部
７    ねじ部
８    トルク伝達部
９    平面部
１０  ストッパ
１１  ラチェット係合部
１２  円筒部
１３  翼部
１４  内周フランジ
１５  鍔受け部
１６  ばね受け部
１７    内周孔
１８  第１の面
１９  第２の面
２０  長孔
２１  押圧面
２２  ラチェット係合部
２３  ロック部材
２４  開閉片
２５  開閉片
２６  錠
３１  受け部材
３２  機器
３３  リアリテーナ
３４  支持部材
【図１】
0004612706.tif 000002
【図２】
0004612706.tif 000003
【図３】
0004612706.tif 000004
【図４】
0004612706.tif 000005
【図５】
0004612706.tif 000006
【図６】
0004612706.tif 000007
【図７】
0004612706.tif 000008